(57)【要約】【課題】外観の異なる装置でも共通に利用できる電気基板、及びこの電気基板を搭載可能で互いに異なる外観を有する複数の装置から成る電子機器システムを提供すること。【解決手段】外観の異なる複数の装置20a,20bに用いられる共通基板30(30a,30b)を次のように構成する。複数の装置20a,20bのうちの一つである装置20aの外部からの操作を受ける釦部材1に対応する位置に配置され、該装置20aに搭載されたときに用いられる第１スイッチパターン32a,32bと、上記複数の装置20a,20bの他の装置20bにおける外部からの操作を受け、上記釦部材1が配置された位置とは異なる位置に配置された釦部材40に対応する位置に配置され、上記第１スイッチパターン32a,32bに連続して設けられ上記第１スイッチパターン32a,32bとは異なる第２スイッチパターン42a,42bと、を具備させる。【選択図】      図2
2008262234.tif 000002
【特許請求の範囲】
【請求項１】
外観の異なる複数の装置に共通して用いられる電気基板であって、
上記複数の装置のうちの一つである装置の外部からの操作を受ける釦部材に対応する位置に配置され、該装置に搭載されたときに用いられる第１スイッチパターンと、
上記複数の装置の他の装置における外部からの操作を受け、上記釦部材が配置された位置とは異なる位置に配置された釦部材に対応する位置に配置され、上記第１スイッチパターンに連続して設けられ上記第１スイッチパターンとは異なる第２スイッチパターンと、
を具備することを特徴とする外観の異なる複数の装置に共通して用いられる電気基板。
【請求項２】
外観の異なる複数の装置から成る電子機器システムであって、
第１の装置と、
上記第１の装置と外観の異なる第２の装置と、
上記第１の装置と上記第２の装置とに共通に搭載可能であり、上記第１の装置に設けられた釦部材の位置に対応する位置に設けられた第１スイッチパターンと、上記第２の装置に設けられ、上記釦部材とは異なる位置に設けられた釦部材の位置に対応して上記第１スイッチパターンとは異なる位置に設けられた第２スイッチパターンとを有する共通電気基板と、
を有することを特徴とする電子機器システム。
【発明の詳細な説明】
【技術分野】
【０００１】
本発明は、異なる装置に共通な電気基板、及びこの電機基板を搭載する電子機器システムに関する。
【背景技術】
【０００２】
近年、電気基板およびこれを実装する技術としては、所定の基板の組合せや、基板の共通化などにより省スペース化と少部品化が図られてきた。その為に、例えば回路パターン内にスイッチパターンを設けて、操作部材を直接的に接触させて回路切替え（スイッチング）を行うような設計が使われている。
【０００３】
また、電気基板の有効利用技術においては、共通の基板にしてできるだけ多品種の装置機器へ搭載できるように設計されている。製品として組み立てられる装置も、色だけでなくその外観上の多様性が求められ、供給される部品から少量で多品種のものを作ることが求められる。
【発明の開示】
【発明が解決しようとする課題】
【０００４】
しかしながら、このような従来の画一的な電気基板を複数の異なる機種に搭載したとき、操作部材の釦などは操作入力位置が同じ位置に決まりがちで、複数の異なる機種間でのデザイン等の多様性を引き出すのには限界があった。
【０００５】
また、製品間での外観上の類似性の原因は、その装置の外観自体ではなく、その装置に使われる電気基板の画一性が主因である場合が多い。すなわち、その基板に直接的、間接的に接続される操作部材を含む外装部品の配置位置およびその向きにおいて自由度が乏しく、単一な仕様と接続しか許容されていない基板構成と回路設計が多くみられる。
【０００６】
製品としての個性を多くの製品にもたせる為に、共通部品を用いてもその部品の配置を僅かに変えるだけで、外観上に異なる印象をもたせ得るような外観仕様の実現が求められる。また、機器としての例えばカメラを広範囲のユーザに使用してもらう為には、外観上および操作性のバリエーションも必要とされる。
【０００７】
上述の如く、電気基板の構成や回路パターンのレイアウトに工夫をすることである程度それは可能となるであろうが、現実的には難しく、具体的な手法については明らかにされていない。そこで本発明の目的は、中身は同じ仕様でも、異なる外観をもつ装置を提供することにある。
【０００８】
本発明は、上記の事情に鑑みて為されたものであり、外観の異なる装置でも共通に利用できる電気基板、及びこの電気基板を搭載可能で互いに異なる外観を有する複数の装置から成る電子機器システムを提供することを目的とする。
【課題を解決するための手段】
【０００９】
前記の目的を達成するために、本発明の第１の態様による電気基板は、
外観の異なる複数の装置に共通して用いられる電気基板であって、
上記複数の装置のうちの一つである装置の外部からの操作を受ける釦部材に対応する位置に配置され、該装置に搭載されたときに用いられる第１スイッチパターンと、
上記複数の装置の他の装置における外部からの操作を受け、上記釦部材が配置された位置とは異なる位置に配置された釦部材に対応する位置に配置され、上記第１スイッチパターンに連続して設けられ上記第１スイッチパターンとは異なる第２スイッチパターンと、
を具備することを特徴とする。
【００１０】
前記の目的を達成するために、本発明の第２の態様による電子機器システムは、
外観の異なる複数の装置から成る電子機器システムであって、
第１の装置と、
上記第１の装置と外観の異なる第２の装置と、
上記第１の装置と上記第２の装置とに共通に搭載可能であり、上記第１の装置に設けられた釦部材の位置に対応する位置に設けられた第１スイッチパターンと、上記第２の装置に設けられ、上記釦部材とは異なる位置に設けられた釦部材の位置に対応して上記第１スイッチパターンとは異なる位置に設けられた第２スイッチパターンとを有する共通電気基板と、
を有することを特徴とする。
【発明の効果】
【００１１】
本発明によれば、外観の異なる装置でも共通に利用できる電気基板、及びこの電気基板を搭載可能で互いに異なる外観を有する複数の装置から成る電子機器システムを提供することができる。
【発明を実施するための最良の形態】
【００１２】
以下、図面を参照して本発明の実施形態を説明する。
【００１３】
図１（ａ），（ｂ）には本発明の電気基板を搭載したカメラが示され、図１（ａ）に示されたものは角型ボディの簡易型カメラの外観であり、図１（ｂ）に示されたものは丸型ボディの簡易型カメラの外観である。
【００１４】
図１（ａ）に示された角型カメラボディ（本体ユニット用カバー）１０は、前カバー１０ａと後カバー１０ｂから成り、内部には共通の本体ユニットを前後から覆っている。後カバー１０ｂの上面には横に並んだ操作部材としての２つの釦１ａ，１ｂが突設され、前カバー１０ａの上面には１つの円筒形のレリーズ釦２が突設されている。
【００１５】
釦１ａ，１ｂは釦部材１上に並設されていて、この釦部材１も異なる型のカメラに共通して使われる共通部品（詳細後述）の１つであり、この例では特に、操作者の左手寄りに２つの釦が横方向（上面長手方向）に配置されている。また、レリーズ釦２は突出部分の形状が円筒状であることが特徴である。
【００１６】
なお、前カバー１０ａの前面には、撮影レンズ３、ストロボ窓４およびファインダ窓５が設けられていて、これらに本体ユニットの対応部位が対応している。
【００１７】
一方、図１（ｂ）に示された丸型カメラボディ（本体ユニット用カバー）１５は、前カバー１５ａと後カバー１５ｂから成り、内部には共通の本体ユニットをカバーしている。ただし、この例ではレリーズ釦２は突出部分の形状が円筒状ではなく、デザイン上の一変形（バリエーション）として大きめの略楕円状に形成されている。
【００１８】
また、釦部材１にも釦１ａ及び１ｂが並設された前述の釦部材１と共通な１つの共通部品であり、デザイン上の一変形としてここでは、操作者の右手寄りに縦方向（即ち光軸方向）にこれらの釦１ａ，１ｂが配置されている。勿論、前カバー１５ａの前面には、カメラの基本部位である撮影レンズ３、ストロボ窓４およびファインダ窓５が同様な位置に設けられている。
【００１９】
このような共通の部品（カメラの本体ユニットや電気基板（詳細後述））が前後カバー内部に搭載されていても、スイッチや釦などの各種の操作部材の配置方向や配置場所を必要に応じて変えることで、複数の異なる外観的印象を有するカメラを提供することができる。その結果、共通な電気基板などによる配置の自由度をもたせることによって、操作者の使い勝手や外観の印象が変わり、製品におけるデザイン上の多様性が生まれる。
【００２０】
図２（ａ），（ｂ）には、本発明の共通の電気基板となる第１電気基板（３０ａ，３０ｂ）とカメラ本体ユニット等が組み立てられる処が示されている。これらの本体ユニット２０ａ，２０ｂも実質的に共通な同型仕様のユニットであり、共通部品の１つである。
【００２１】
詳しくは、図２（ａ）の組立図によれば、ストロボユニット４ａやファインダ５ａなどを前面に有する本体ユニット２０ａの上部に搭載される共通基板３０ａと、この共通基板３０ａ上の所定パターンに載せられる釦部材１及びレリーズ釦２が順次組み立てられる。また、共通の電気基板３０ａ上に２つの釦１ａ，１ｂが横方向に並ぶように釦部材１を配していることがわかる。
【００２２】
この共通部品としての本体ユニット２０ａの上部に載置された共通基板３０ａには、所定の回路パターン、例えばスイッチパターン３２ａ，３２ｂ、レリーズパターン３３および、その他の回路パターン３４が設けられている。よって、釦１ａ，１ｂを有する釦部材１はスイッチパターン３２ａ，３２ｂ上に、レリーズ釦２はレリーズパターン３３上に組み付けられる。
【００２３】
また、この共通基板３０ａには、このカメラでは用いられない３つの接続ランド３１ａ，３１ｂ，３１ｃが形成され、スイッチパターン３２ａ，３２ｂに連続している。共通基板３０ａの中央近傍にはこのカメラを統括制御するＣＰＵ３５が設けられている。
【００２４】
釦部材１に設けられた釦１ａ，１ｂは、薄肉厚のシリコンゴムで作られ押下により変形する突起である。この裏側には電気的導電性のゴム１ｃ，１ｄがそれぞれに設けられていて、この変形に伴なってそのゴムの底部が共通基板３０ａのスイッチパターン３２ａ，３２ｂにそれぞれ接触することで、対応するスイッチ回路の導通が図られるようなスイッチング回路パターンになっている。例えば、本実施形態では「コ」の字状のパターンと、「−」の字状のパターンが一対となったスイッチパターンである。この一対のパターンが前述の電気的導電性のゴムと接触することによって電気的導通が可能となっている。
【００２５】
一方、図２（ｂ）の組立図によれば、ストロボユニット４ｂやファインダ５ｂなどを前面に有する図２（ａ）の本体ユニット２０ａと同様で共通な本体ユニット２０ｂの上部に搭載される共通基板３０ｂと、この共通基板３０ｂ上の接続用ランド３１ａ，３１ｂ，３１ｃに接続するようにフレキシブルプリント基板から成る専用の第２電気基板としての釦基板４０とが組み込まれ、更にこの釦基板４０上のスイッチパターン上には釦部材１が、そして共通基板３０ｂのレリーズパターン３３上にはレリーズ釦３が順次組み立てられる。上記共通基板（３０ａ，３０ｂ）はそれぞれ外観上は略同一で、必要に応じて、ＣＰＵ内のＲＯＭ内容を異ならせてもよいし、ここに示していないＥＥＰＲＯＭの内容を異ならせてもよい。
【００２６】
また、共通基板３０ｂ上には、釦基板４０を介して釦部材１を光軸に平行な方向に配置している。つまり共通部品として、２つの釦１ａ，１ｂの配列の向きを変えるに伴なって必要となる釦基板４０を有している。追加されたこの専用の釦基板４０には、上記の釦１ａ，１ｂに対応する位置に２つのスイッチパターン４２ａ，４２ｂが設けられている。また、共通基板３０ｂの所定パターン（３１ａ，３１ｂ，３１ｃ）と接続するための複数の接続ランド４１ａ，４１ｂ，４１ｃが配置されている。
【００２７】
次に、さらに具体的に、図３に従って上述の第１電気基板および第２電気基板について詳しく説明すると、共通基板３０（３０ａ，３０ｂ）には３つの接続用ランド部３１ａ，３１ｂ，３１ｃが設けられている。また、右上には一組のスイッチパターン３２ａ，３２ｂが設けられている。そしてその他のパターンとしての回路パターン３４と、レリーズパターン３３、ＣＰＵ３５が設けられている。
【００２８】
この共通基板３０（３０ａ，３０ｂ）の上には、釦基板４０が乗せられて所定の接続部位が接続している。すなわちこの釦基板４０には共通基板３０（３０ａ，３０ｂ）の接続用ランド部３１ａ，３１ｂ，３１ｃのそれぞれに対応するように、接続用ランド部４１ａ，４１ｂ，４１ｃが設けられている。そして、接続用ランド部３１ａ，３１ｂ，３１ｃそれぞれは半田などによって接続用ランド部４１ａ，４１ｂ，４１ｃに電気的に接続されている。また、前述の釦１ａ，１ｂが対応する位置には、スイッチパターン４２ａ，４２ｂがそれぞれ設けられている。よってこの場合、釦基板４０が有するスイッチパターン４２ａ，４２ｂにより釦部材１の２つの釦１ａ，１ｂの配置される位置が右手寄りに近づくと共に、これら釦１ａ，１ｂの配列方向が、前述の共通基板３０ａだけの場合に比べて９０°変えられるようになる。
【００２９】
（作用効果１）
このように、本発明に係わるカメラという装置においては、本体ユニット２０ａ、２０ｂと組み合わされる共通基板３０（３０ａ，３０ｂ）は、異なるカメラ内に配置される共通な電気基板であって、撮影者による外部からの操作を受けてその操作入力を（釦を介して）受けるスイッチパターン３２ａ，３２ｂと、これらのスイッチパターン３２ａ，３２ｂに連続して設けられた接続用ランド部３１ａ,３１ｂ，３１ｃとを備えている。
【００３０】
また特に、釦１ａ，１ｂの位置と配列方向を変えて異なる外観をもたせるため、このような接続用ランド部３１ａ,３１ｂ，３１ｃを有した共通基板３０（３０ａ，３０ｂ）を第１電気基板とすると、この接続用ランド部３１ａ,３１ｂ，３１ｃに接続され上記スイッチパターン３２ａ，３２ｂとは異なる位置に設けられたスイッチパターン４２ａ，４２ｂを設けた釦基板４０という第２電気基板を備えている。
【００３１】
また、上述した図２（ａ）が示す構成配置と図２（ｂ）が示す構成配置を比較すると、主要な本体ユニット２０ａ，２０ｂおよび共通基板３０ａ，３０ｂはまったく同じ型のものを構成部品として使い、同じ型の釦部材１はその配置方向と位置を９０°変えて配されている。
【００３２】
共通基板としての第１電気基板にはスイッチパターン３２ａ，３２ｂが設けられ、また専用の第２電気基板にはスイッチパターン４２ａ，４２ｂという回路パターンがそれぞれに予め設けられている。この第１電気基板としての電気基板３０ａ，３０ｂは、異なる外観をもつ複数タイプのカメラに広く用いられる。このような基板構成と配置の違いによって、カメラ製品の外観上の相違感が出せ、組立時に所望によりこれらパターンから一組のパターンを用いることができ操作部材の選択的な配置ができるように構成されることがわかる。
【００３３】
このように、複数の釦１ａ，１ｂを含む操作部材の位置と方向を変えることで、中身に実質的に同じ共通部品を使っていても、その製品の外観のみならず操作性において異なる印象と使い勝手を提供することができる。
【００３４】
（変形例１）
上述の第１実施形態例は次のように変形実施してもよく、それにより同等またはそれ以上の効果が期待できる。例えば、共通基板３０ａ，３０ｂ上に更なる回路パターンが設けられる空間的余裕があれば、釦部材１を直接的にこの共通基板３０ａ，３０ｂに接続してよいように、共通基板３０ａ，３０ｂ上に前述の釦基板４０と等価な回路パターンを予め設けておいてもよい。
【００３５】
これによれば、専用の釦基板４０は不要でも釦１（１ａ，１ｂ）の配置方向の異なる二種類の配置が可能になるので、更に部品点数が少なくなり、共通部品で異なるデザインのカメラを提供できる。
【００３６】
（変形例２）
さらに次のように変形実施してもよく、第１実施形態例と同等な効果が期待できる。例えば、回路パターンを左右逆にして利用できるようにして、右利き用のカメラを左利き用に組み立て可能にしてもよいし、左右何れにも操作部材を取り付けられるような回路設計で共通基板にスイッチパターンを設けてもよい。このように、ユーザの身体的特徴に最も適合するような変形を与えられるように構成配置してもよい。
【００３７】
（その他の変形例）
カメラを例にして説明してきたが、その他の機器装置にも同様な主旨で本発明を適用することができる。このほかにも、本発明の要旨を逸脱しない範囲で種々の変形実施が可能となる。
【００３８】
以上、実施形態例とその変形例に基づいて述べたが、本明細書中には次の発明が含まれる。
【００３９】
（１） カメラ内に配置される電気基板であって、外部操作を受けてその入力を受けるスイッチパターンと、上記スイッチパターンに連続して設けられた接続用ランド部と、を具備したことを特徴とするカメラ用電気基板を提供できる。
【００４０】
（２） カメラ内に配置される電気基板であって、外部操作を受けてその入力を受けるスイッチパターンと、このスイッチパターンに連続して設けられた接続用ランド部とを有した第１電気基板と、上記接続用ランド部に接続され、上記スイッチパターンとは異なる位置に設けられたスイッチパターンを設けた第２電気基板と、を具備したことを特徴とするカメラ用電気基板装置を提供できる。
【００４１】
（３） 上記第２電気基板は、フレキシブル基板であることを特徴とする（２）に記載の電気基板装置である。
【００４２】
（４） 複数の機器に搭載できる同じ回路パターンを有する第１電気基板を具備し、この第１電気基板に設けられた接続用ランド部に選択的に接続することで外装部材の配置を変更した組立を可能にする第２電気基板を有する電気基板装置を提供できる。
【００４３】
（５） 上記第１電気基板は、一組の第１スイッチパターンを有する共通基板であって、上記第２電気基板を上記第１スイッチパターンに直接的に接続できる接続用ランド部と、一組の第２スイッチパターンを有することを特徴とする（４）に記載の電気基板装置である。
【００４４】
（６） 上記第２電気基板は、上記第１電気基板の接続用ランド部に接続するフレキシブル基板であることを特徴とする（４）に記載の電気基板装置である。
【００４５】
以上、一実施形態に基づいて本発明を説明したが、本発明は上述した実施形態に限定されるものではなく、本発明の要旨の範囲内で、例えば後述する変形例のような、種々の変形及び応用が可能なことは勿論である。
【００４６】
さらに、上述した実施形態には種々の段階の発明が含まれており、開示される複数の構成要件の適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００４７】
【図１】図１（ａ），（ｂ）は本発明の電気基板を装備したカメラの外観を示し、図１（ａ）は、角型カバーの簡易型カメラの斜視図、図１（ｂ）は、丸型カバーの簡易型カメラの斜視図。
【図２】図２（ａ），（ｂ）は本発明の共通の電気基板とカメラ本体ユニット等の組立を示し、図２（ａ）は、共通の電気基板上に釦部材を配する組立図、図２（ｂ）は、共通の電気基板上に釦基板を介して釦部材を配する組立図。
【図３】図３は、図２の構成の電気基板が組み立てられた回路概要を示す回路図。
【符号の説明】
【００４８】
１…釦部材、  １ａ，１ｂ…釦、２…レリーズ釦、  ３…撮影レンズ、  ４…ストロボ窓、  ４ａ，４ｂ…ストロボユニット、  ５…ファインダ窓、  ５ａ，５ｂ…ファインダ、  １０…角型カメラボディ（本体ユニット用カバー）、  １０ａ…前カバー、  １０ｂ…後カバー、  １５…丸型カメラボディ（本体ユニット用カバー）、  １５ａ…前カバー、  １５ｂ…後カバー、  ２０ａ，２０ｂ…本体ユニット、  ３０（３０ａ，３０ｂ）…共通基板（第１電気基板）、  ３１ａ，３１ｂ，３１ｃ…接続用ランド部、  ３２ａ，３２ｂ…スイッチパターン（第１電気基板上）、  ３３…レリーズパターン、  ３４…回路パターン（その他のパターン）、  ３５…ＣＰＵ（制御部）、  ４０…釦基板（第２電気基板）、  ４１ａ，４１ｂ，４１ｃ…接続用ランド部、  ４2ａ，４2ｂ…スイッチパターン（第２電気基板上）。
【図１】
2008262234.tif 000003
【図２】
2008262234.tif 000004
【図３】
2008262234.tif 000005